(57)【要約】【課題】通常外側から扉内に出入する戸構造において、緊急時に扉内から外側へ脱出できる内部解錠装置を提供する。【解決手段】扉にハンドルを設けて、支柱など本体に掛金を掛けたり外したりする戸構造において、扉の内部にハンドルのフックの上下動により回動する基板と先部に掛金を設けた操作板をスプリングを介して設け、緊急時に操作板を横移動することで掛金を本体から外すことで扉外に脱出可能にした戸構造の内部解錠装置。【選択図】      図２
2004238799.tif 000002
【特許請求の範囲】
【請求項１】
扉の外側のハンドルを操作して掛金を筐体や躯体又は支柱など固定側の本体に掛けたり外したりする戸構造において、前記扉の内側に操作ピンで枢着した基体と、該基体に設けたガイド板に沿って摺動自在に配置した前記掛金を先部に有する操作板と、該操作板と前記基体もしくはガイド板に介在したスプリングと、前記基体には前記掛金を前記本体から掛けたり外したりするために前記外側ハンドルに連設して上下動するフック部材と、該フック部材とともに前記基体に設けた雲形穴内に設けて前記掛金を本体に掛ける位置から外す位置まで前記基体と操作板の回動距離を規制する作用ピンとからなり、
常時では前記外側ハンドルを扉の外側から操作することで前記フック部材の上下動により前記基板と操作板を前記操作ピンを中心に回動することで前記掛金を前記本体に掛けたり外したりするとともに、非常時では扉の内側から前記操作板を前記スプリングに抗して摺動させることにより前記掛金を前記本体から外して扉を押し出すようにしたことを特徴とする戸構造の内部解錠装置。
【請求項２】
扉の外側ハンドルを操作して掛金を筐体や躯体又は支柱など固定側の本体に掛けたり外したりする戸構造において、前記扉の内部に操作ピンで枢着した基体と、該基体に設けたガイド板に沿って摺動自在に配置した前記掛金を先部に有する操作板と、該操作板と前記基体もしくはガイド板に介在したスプリングと、該スプリングに抗して前記操作板を横移動して前記掛金を前記本体より外すために、前記操作板に当接して横移動させる移動杆を前記扉の内側ハンドルに設けたことにより、
常時では前記ハンドルを扉の外側から操作することで前記フック部材の上下動により前記基板と操作板を前記操作ピンを中心に回動することで前記掛金を前記本体に掛けたり外したりするとともに、非常時では扉の内側から前記操作板を前記スプリングに抗して引っ張ることにより前記掛金を前記本体から外して扉を押し出すようにしたことを特徴とする戸構造の内部解錠装置。
【請求項３】
前記掛金と反対側の操作板には突起部を設けたことを特徴とする請求項１又は２に記載の戸構造の内部解錠装置。
【請求項４】
前記扉と前記本体には、前記掛金を回転動と往復動ができる縦長の係止溝を設けたことを特徴とする請求項１乃至３のいずれかに記載の戸構造の内部解錠装置。
【発明の詳細な説明】
【０００１】
【発明の属する技術分野】
本発明は、平面ハンドルやレバーハンドルなど外側ハンドルを扉の外側から廻して、躯体や筐体又は支柱などの本体から掛金を外すことで、扉を開閉する戸構造において、扉の内側からでも緊急脱出できる戸構造の内部解錠装置に関する。
【０００２】
【従来の技術】
従来のレバーハンドルは、特開２００３−３７００号公報及び特開平９−３２３８２号公報などや、添付図面の図７乃至図１０のように、扉面と略同一面としての平面ハンドルを原則として扉の外側からハンドルを操作して（鍵付と鍵なしがある）、扉の内側に入るものであった。この平面ハンドルとは別に、特開平６−３４６６４１号公報などの扉の外側から突出したレバーハンドルなど扉面から突出したハンドルを操作して扉内に入るものも存在した。
【０００３】
上記平面ハンドルにおける従来例を、添付の図７乃至図１０により説明する。これらの図のうち図７は錠前としての平面ハンドル５０の縦断面図であり、図８は図７の平面ハンドル５０を扉５１に取り付けて、その掛金５９を支柱など固定側の本体５２に掛けている状態の斜視図である。図９は図７の状態からフック５３を下げた状態を示し、図１０は図９の平面ハンドル５０を扉に取り付けて本体から掛金５９を外した状態を現わす。
図７では、平面ハンドル５０の筐体５４にビス孔５５，５６を有し、これらに図８に示すビス５７，５８を入れて扉５１に取り付ける。そこで、平面ハンドル５０が扉５１の縦長溝６５と本体５０の縦長溝６６に掛金５９が掛けわたされて、扉５１を本体５０にロックしている状態を説明する。ハンドル６０は鍵によりプレートを筐体５４に引っ掛けることで（図示せず）、スプリング６１の反発力に抗してハンドル６０は、筐体５４内に収められている。この状態では鍵を回転してプレートを廻すことで、プレートを筐体５４より外してもハンドル６０はバネ６２が筐体５４に前後方向に枢着している（図示せず）押ボタン６７を時計方向に付勢されることで、切欠部６３において、ハンドル６０はその軸６４に取り付けたスプリング６１に抗した状態を保持して動かない。
【０００４】
つぎに、上記図７と図８で、固定したハンドル６０を図９と図１０に示すように、ハンドル６０を跳ね上げて軸６１で時計方向に回転したフック５３により、掛金５９を本体５２の縦長溝６６から外すことで扉５１を本体５２から開放する。
これをより具体的に説明すると、鍵を開けて錠を筐体５４から外した後のハンドル６０は図７と図８の状態にあるが、この状態で押ボタン６７をバネ６２の反発力に抗して図９に示す矢印方向に押すことで、押ボタン６７がバネ６２の軸６８を中心に廻るために上記切欠部６３で係合していたハンドル６０は押ボタン６７から外れ、スプリング６１により軸６４を中心にしてハンドル６０は跳ね上がる。このハンドル６０の跳ね上がりによってフック５３は軸６４を中心に時計方向に回転して下がる。このフック５３が下がることで、平面ハンドルの筐体５４に枢着している掛金５９はビス７０を中心にビス７１が雲形の穴部６９内の下方位置に至るまで時計の回転方向に回転することで、掛金５９は本体５２の縦長溝６６から外れて、扉５１はハンドル６０が飛び出た方に開くことができる。
【０００５】
【特許文献１】
特開２００３−３７００号公報
【特許文献２】
特開平９−３２３８２号公報
【特許文献３】
特開平６−３４６６４１号公報
【０００６】
【発明が解決しようとする課題】
しかしながら、上記従来のものは分電盤や金庫など外側から解錠してから容易に内部へ入ることができるものの、内側に人が入っているのに誤って鍵を掛けてしまったり、自動的に扉が閉った場合には、内側から錠前を分解するなど工具を使用して外へ出られなくはないものの、工具を持っていなかったり、内部が暗くて外へ脱出困難になり、なによりも火災など緊急時に速やかに脱出することができないという欠点があった。
【０００７】
本発明は、上記問題点を解決しようとするものであり、その第１の目的は誤って扉が閉った場合に、暗室でも簡単な操作により外部へ容易に脱出できる戸構造の内部解錠装置を提供せんとする。
本発明の他の目的は、常態では室の外部からは解錠して内部に入れるが、不幸にも錠が施こされて、火災が発生するなど非常時において、室の内部から外部へ速やかに出ることが可能な戸構造の内部解錠装置を提供せんとするものである。
【０００８】
本発明は、上記目的に鑑みてなされたものであり、その要旨は扉の外側のハンドルを操作して掛金を筐体や躯体又は支柱など固定側の本体に掛けたり外したりする戸構造において、前記扉の内側に操作ピンで枢着した基体と、該基体に設けたガイド板に沿って摺動自在に配置した前記掛金を先部に有する操作板と、該操作板と前記基体もしくはガイド板に介在したスプリングと、前記基体には前記掛金を前記本体から掛けたり外したりするために前記外側ハンドルに連設して上下動するフック部材と、該フック部材とともに前記基体に設けた雲形穴内に設けて前記掛金を本体に掛ける位置から外す位置まで前記基体と操作板の回動距離を規制する作用ピンとからなり、
常時では前記外側ハンドルを扉の外側から操作することで前記フック部材の上下動により前記基板と操作板を前記操作ピンを中心に回動することで前記掛金を前記本体に掛けたり外したりするとともに、非常時では扉の内側から前記操作板を前記スプリングに抗して摺動させることにより前記掛金を前記本体から外して扉を押し出すようにしたことを特徴とする戸構造の内部解錠装置にある。
本発明では扉の内側表面に本発明の戸構造の内部解錠装置が設けられているために、外側で鍵が掛っているなど内側から外側に脱出できない場合、操作板をスプリングに抗して摺動させるだけで掛金を本体から外すことができるようにした。
【０００９】
本発明の上記発明と別の実施形態として、扉の外側ハンドルを操作して掛金を筐体や躯体又は支柱など固定側の本体に掛けたり外したりする戸構造において、前記扉の内部に操作ピンで枢着した基体と、該基体に設けたガイド板に沿って摺動自在に配置した前記掛金を先部に有する操作板と、該操作板と前記基体もしくはガイド板に介在したスプリングと、該スプリングに抗して前記操作板を横移動して前記掛金を前記本体より外すために、前記操作板に当接して横移動させる移動杆を前記扉の内側ハンドルに設けたことにより、
常時では前記ハンドルを扉の外側から操作することで前記フック部材の上下動により前記基板と操作板を前記操作ピンを中心に回動することで前記掛金を前記本体に掛けたり外したりするとともに、非常時では扉の内側から前記操作板を前記スプリングに抗して引っ張ることにより前記掛金を前記本体から外して扉を押し出すようにしたことを特徴とする戸構造の内部解錠装置がある。
本発明によれば、本発明の主要部である基体とガイド板に沿って摺動する掛金を有する操作板とを、扉の板厚内に納めてこれを内側ハンドルに取り付けたカム部により前記操作板を横移動することで掛金を本体から外すようにした。
【００１０】
【作用】
扉の外側から扉を開いて内側に入る戸構造の内部解錠装置において、扉の外側から錠が掛っていても操作板を直接引っ張ることで掛金を本体から外すことができる。また、操作板が扉内に設けられて直接引っ張り操作ができない場合でも、扉内側のハンドルに設けた操作杆により、掛金をスプリングに抗して横移動することで本体から外す。
【００１１】
【実施例１】
図１は、本発明の一実施例である戸構造の内部解錠装置を現わす一部透視の斜視図で、図２は非常時に扉の内側より解錠する操作を説明する斜視図であり、図３は解錠状態の斜視図である。
図１において、１は本発明の装置の基体であり、ビス１６，１７で扉１１に表面を面一に埋設されている平面ハンドル９の裏側には、ピンとしてのビス７により基体１が枢着されている。基体１は、その上下に位置する左右に平行に折り曲げたガイド板２，２’で全体をチャンネル状にしている。上下のガイド板２，２’にはそれぞれ２本のガイドピン１８，１８’が設けられ、各ピンはチャンネル状のガイド板２，２’付きの基体１中に左右に摺動する操作板３の上下に設けた摺動板１９，１９’に設けた上下２つの横長孔２０，２０’内を規制されて左右に摺動可能にしている。
【００１２】
また、操作板３には雲形穴６が開けられて、この穴には従来例としての図７や図８に見られるハンドル６０と一体に設けて上下動するフック部５と、ビスとしての作用ピン８が遊嵌状態で突出している。
また、基板１の内部と後述する操作板３と一体に設けた掛金１５とは反対側の摺動板１９には、引っ張りスプリング４の両端を固定している孔２２，２３付き突起２０と２１を設けている。
さらに、操作板の一側部（図面上右側）には扉１１と縦長溝１２及びこの縦長溝１２と対応する位置に支柱など固定側の本体１３に設けた縦長溝１４を貫通して扉を本体に固定している。
【００１３】
ついで、上記構成から成る本発明の戸構造の内部解錠装置について以下に説明する。
通常の態様では扉１１の外側にある平面ハンドルのハンドル６０を、叙述した従来技術において記載したように跳ね上げることで、ハンドル上部に設けたフック部５を雲形穴６内の上方から下方に下ろし、雲形穴に当ってからさらに押し下げることで操作板３を、操作ピン７を軸として雲形穴の上方辺に作用ピン８が当るまで押し下げる（図１と図３）。このように、常態では鍵がある場合とない場合にかかわらずハンドルを跳ね上げることで、扉１１を本体１３から開いて扉内に入る。もちろん、この場合に扉内から外側に出るには扉が開いたままの状態にあるので問題は生じない。
しかし、内に人が入っていることを知らずにあるいは自然状態で扉を閉めてハンドルを下ろして錠を掛けられた場合、今までは図８の状態でそのまま外に出られなかったが、本発明では図２に示すように、扉の内側から操作板３の引き金としての突起部１０を引っ張りスプリング４に抗して矢印の方向に引くことで掛金１５は本体１３にある縦長溝１４から抜き出ることにより、そのまま扉１１を外側に押し出すことで容易に扉を本体から開いてから外方に脱出できる。
【００１４】
【実施例２】
図５は本発明の別の実施態様の戸構造の内部解除装置であり、常態における扉１１’を本体１３’に掛金１５を掛けた状態の一部破断斜視図であり、図６は扉の内部から扉を開いて脱出可能にする状態を示す一部破断斜視図である。
図５と図６において、前記実施例と同じ構造を以下に説明する。
平面ハンドル９は扉１１’に表面を面一に埋設し、その表面にチャンネル状の基体１が枢着されている（枢着位置は図示されていない）。また、基体１のガイド板２，２’の内側には摺動板１９，１９’を設けた操作板３が左右に摺動可能に配置している。また、基体１と操作板３との間には、実施例１と同様に、引っ張りスプリング４が配置されて、操作板３をスプリング４を伸ばして、図６に示すように矢印方向に引っ張ることで、操作板の先端に位置する掛金は扉１１’と本体１３のそれぞれの縦長溝１２，１４を貫通して、扉１１を全体に固定している。
【００１５】
本実施例が実施例１と違う構造を以下に列挙する。まず、平面ハンドル９の内側にある基体１と操作板３などは実施例１では扉１１の内側に露出して配置しているが、本実施例はこれらを扉１１’内に埋設している。したがって、操作板３に設けた突起部１０は扉１１’内にあって、これを扉１１’の内側から操作できない。
【００１６】
そこで、本発明の目的である扉１１’が掛金１５により本体１３に止められた状態で閉っている場合において、扉１１’の内側から掛金１５を外す構造としては、二重扉１１’の内側外面にビス２４により止めた平板２５にレバーハンドル２６を貫通して設け、その先端の扉１１’内に縦断面鍵状の作動杆としてのカム２７を付設した点にある。
このレバーハンドル２６としてのハンドルや作動杆としてのカム２７は、通常の状態、すなわち扉１１’の外側のハンドル９を操作して扉を開閉して出入する場合は図７乃至図１０と変わらないが、人が扉内に入っている場合に掛金１５が掛っている非常時には図６に示す操作が必要である。この操作は扉１１’の内側に突出しているレバーハンドル２６を時計方向に回転させることで、作動杆２７を廻して、これを操作板３の突起部１０に当接し、作動杆としてのカム２７の先端の円弧部２８に沿って操作板３をスプリング４の引張力に抗して左方に横移動することで掛金１５を本体１３の縦長孔１４から外して、扉１１’を図面上向こう側に押しやることで開け、外側に脱出できる。
なお、図４は実施例２の要部を示す戸構造の内部解除装置の分解図である。
【００１７】
【発明の効果】
以上述べたように、本発明ではハンドルの内側に基体と操作板とその両者間にスプリングを設け、扉の内側からこのスプリングの引張力に抗して前記操作板を横方向に移動することで、緊急時に掛金を本体から外すことにより、扉の内側に閉じ込められた人を脱出可能にした。
【図面の簡単な説明】
【図１】扉内における本発明装置の一部透視状態の斜視図。
【図２】図１を緊急時において扉内より脱出する操作説明の一部透視状態の斜視図。
【図３】図１における通常時の扉開放状態を現わす斜視図。
【図４】上記図１乃至図３とは別の実施例である本発明装置の分解図。
【図５】図４を用いた一部透視状態の斜視図。
【図６】図５を緊急時において扉内より脱出する操作説明の一部透視状態の斜視図。
【図７】従来の平面ハンドルの縦断面図。
【図８】図７を用いた扉の掛金が本体に掛けられた状態の斜視図。
【図９】図７から平面ハンドルのハンドルを跳ね上げた状態を示す縦断面図。
【図１０】図９における扉の掛金が本体から外れた状態の斜視図。
【符号の説明】
１  基体
２，２’  ガイド板
３  操作板
４  スプリング
５  フック部
６  雲形穴
７  操作ピン
８  作用ピン
１１，１１’  扉
１３  本体
１４  本体の縦長孔
１５  掛金
【図１】
2004238799.tif 000003
【図２】
2004238799.tif 000004
【図３】
2004238799.tif 000005
【図４】
2004238799.tif 000006
【図５】
2004238799.tif 000007
【図６】
2004238799.tif 000008
【図７】
2004238799.tif 000009
【図８】
2004238799.tif 000010
【図９】
2004238799.tif 000011
【図１０】
2004238799.tif 000012